(57)【特許請求の範囲】
【請求項１】
釣銭の入金を促す表示を開始する釣銭の残量を定める第１の設定値と、第１の設定値より充分大きく釣銭の入金を促す表示を解除する釣銭の残量を定める第２の設定値とを入力する入力手段と、
前記入力手段から入力された前記第１の設定値と前記第２の設定値とを記憶する記憶手段と、
釣銭の残量をカウントするカウント手段と、
釣銭の入金を促す表示を行う表示手段と、
前記第１の設定値と前記カウント手段がカウントした釣銭の残量とを比較して釣銭の残量が前記第１の設定値を下回ったときに前記表示手段に釣銭の入金を促す表示を行わせ、釣銭の入金を促す表示を行わせた後に釣銭の残量と前記第２の設定値とを比較して釣銭の残量が前記第２の設定値より少ないときは前記表示手段に入金を促す表示を継続させ、釣銭の残量が前記第２の設定値以上となったときは前記表示手段に入金を促す表示を解除させる制御手段
とを有することを特徴とするＰＯＳシステム。
【請求項２】
前記表示手段は、釣銭の入金を促す表示を行う際に、釣銭の残量をレベル表示することを特徴とする請求項１に記載のＰＯＳシステム。
【発明の詳細な説明】
【０００１】
【発明の属する技術分野】
この発明は、釣銭の残量が、あらかじめ設定された所定の数量より少なくなったときに、入金を促す表示を行う機能を備えたＰＯＳシステムに関するものである。
【０００２】
【従来の技術】
従来、この種のＰＯＳシステムにおける釣銭の入出金管理は、図４のフローチャートに示すような方法で行っていた。まず、釣銭の入金を促すための設定値（以下、入金促進枚数と呼ぶ）を、１円、１０円、１００円など金種毎に設定し（ステップＳ１）、この状態で支払いなどにより出金が発生して（ステップＳ２）いずれかの金種の釣銭の残量が前記設定した入金促進枚数を下回ったときに（ステップＳ３）、表示器にてその金種の入金を促す表示を行って（ステップＳ４）人手により入金を行う（ステップＳ５）。入金促進のあった金種を入金することにより、釣銭の残量が入金促進枚数以上となったら（ステップＳ３）、前記表示器による入金を促す表示を解除する（ステップＳ６）。
【０００３】
【発明が解決しようとする課題】
ところで、上記したようなＰＯＳシステムにおける入出金管理では、入金により増加した金種が、再度支払いなど出金により減少して入金促進枚数未満になった場合には、再度入金を促す表示が表示器にてなされ、人手により再度入金を行うことになる。
【０００４】
しかしながら、ここで入金を行う人は、単に釣銭不足という情報が表示器により得られるのみで、どの程度の量の入金を行ったらよいのか見当がつかないため、入金額が少ない場合には、一旦は入金促進表示が解除されるが、次の支払いなどによる出金で、すぐに入金促進枚数未満になり、再度入金促進の表示が行われることになって入金操作が必要となってしまう。このような場合は、出金と入金のサイクルが短く、それに伴う入金促進表示とその解除が繰り返され、釣銭が慢性的に不足する事態を引き起こすことになる。また、釣銭の入金時には、入出金機能が一時中断されるため、釣銭が慢性的に不足するような場合には、本システム利用時での中断が頻繁に発生し、システムとしての信頼性が低下する。
【０００５】
この発明は上記したような問題点を解消するためになされたもので、慢性的な釣銭不足を解消して信頼性の高い入出金機能を備えたＰＯＳシステムを提供することを目的としている。
【０００６】
【課題を解決するための手段】
この発明に係わるＰＯＳシステムは、釣銭の入金を促す表示を開始する釣銭の残量を定める第１の設定値と、第１の設定値より充分大きく釣銭の入金を促す表示を解除する釣銭の残量を定める第２の設定値とを入力する入力手段と、前記入力手段から入力された前記第１の設定値と前記第２の設定値とを記憶する記憶手段と、釣銭の残量をカウントするカウント手段と、釣銭の入金を促す表示を行う表示手段と、前記第１の設定値と前記カウント手段がカウントした釣銭の残量とを比較して釣銭の残量が前記第１の設定値を下回ったときに前記表示手段に釣銭の入金を促す表示を行わせ、釣銭の入金を促す表示を行わせた後に釣銭の残量と前記第２の設定値とを比較して釣銭の残量が前記第２の設定値より少ないときは前記表示手段に入金を促す表示を継続させ、釣銭の残量が前記第２の設定値以上となったときは前記表示手段に入金を促す表示を解除させる制御手段とを有する構成としてある。
【０００７】
また、上記表示手段は、釣銭の入金を促す表示を行う際に、釣銭の残量をレベル表示する構成としてある。
【０００８】
この発明におけるＰＯＳシステムは、釣銭の入金を促す第１の設定値に加え、この第１の設定値より充分大きく入金の促進表示を解除するための第２の設定値を設け、出金により釣銭の残量が第１の設定値未満となって入金を行う際には、釣銭の残量が第２の設定値以上となった時点で入金の促進表示を解除するようにしたので、その後支払いなどの出金により釣銭が減少しても、入金を促す表示を行う第１の設定値にはすぐには達せず、出金と入金のサイクルが長くなり、入金促進表示とその表示解除を繰り返すことによる釣銭の慢性的な不足が解消される。
【０００９】
また、釣銭の残量がレベル表示されることで、必要な入金額の目安がつき、入金操作が容易となる。
【００１０】
【発明の実施の形態】
以下、この発明の実施の形態を図について説明する。図１は、この発明の実施の一形態を示すＰＯＳシステムの制御ブロック図である。このＰＯＳシステムは、各金種の釣銭の残量が、あらかじめ設定された各金種それぞれの所定の数量より少なくなったときに、入金を促す表示を行う機能を備えたものである。図において、（１）は入力回路で、キーボード（２）などを入力媒体として、釣銭の入金を促す第１の設定値および、この第１の設定値より充分大きく入金の促進表示を解除する第２の設定値などの入力されたデータを制御手段としての制御回路（３）で扱えるデータに変換する。上記入力回路（１）とキーボード（２）とで入力手段を構成している。（４）は記憶手段としての記憶回路で、入力手段により入力された前記第１，第２の各設定値を記憶する。
【００１１】
（５）は表示回路で、制御回路（３）から送られてくる表示情報を表示器（６）に出力できる信号に変換する。この表示器（６）と表示回路（５）とで表示手段を構成している。上記表示情報は、釣銭の入金を促す表示および、釣銭をレベル表示することによる残量表示をそれぞれ含んでいる。（７）は釣銭カウント手段としての釣銭カウント回路で、入金された金種の数量をカウント（加算）するとともに、出金によるカウント（減算）を行う。制御回路（３）はマイクロプロセッサを中心として構成され、前記各手段を含むＰＯＳシステム全体の制御を行うもので、釣銭の残量が前記第１の設定値を下回ったときに、表示器（６）に釣銭の入金を促す表示を行わせる一方、入金により釣銭の残量が前記第２の設定値以上となったときに表示器（６）による釣銭の入金促進表示を解除させる。
【００１２】
次に、上記のように構成されたＰＯＳシステムの動作を、図２に示すフローチャートに基づき説明する。まず、キーボード（２）により、釣銭の入金を促すための第１の設定値（入金促進開始枚数）と、入金の促進表示を解除するための第２の設定値（入金促進解除枚数）とを、金種毎にそれぞれ入力設定する（ステップＳ１，Ｓ２）。ここでは、金種として「１円」，「５円」，「１０円」，「５０円」，「１００円」，「５００円」，「１０００円」の７種あり、これらすべての第１の設定値、すなわち入金促進枚数は１５枚とする。一方、この７種の金種の第２の設定値、すなわち入金促進解除枚数は、すべて３０枚とする。これら設定入力された第１，第２の各設定値は、記憶回路（４）に記憶される。
【００１３】
上記のように、入金促進開始枚数および入金促進解除枚数がそれぞれ設定された状態で、出金が発生した後（ステップＳ３）、各金種における釣銭の残量と前記設定された入金促進開始枚数とを比較し（ステップＳ４）、釣銭の残量が入金促進開始枚数を下回っている金種がある場合には、その金種について入金を促す表示を表示器（６）にて行う（ステップＳ５）。例えば、「１円」と「１０００円」について、釣銭の残量がいずれも１４枚で、その他５種類の金種の釣銭の残量がいずれも２０枚であるとすると、「１円」と「１０００円」の金種が入金促進開始枚数未満なので、これらの金種について入金を促す表示を行う。
【００１４】
前記ステップＳ５で入金を促す表示を行った後に、その表示がなされた金種の入金を行うと（ステップＳ６）、釣銭カウント回路（７）が入金枚数をカウントし（ステップＳ７）、これと同時に、この入金された金種の釣銭の残量が、表示器（６）により図３に示すようにレベル表示を行う（ステップＳ８）。この釣銭枚数のカウントおよびレベル表示を行う過程で、釣銭の残量と入金促進解除枚数とを比較し（ステップＳ９）、釣銭の残量が入金促進解除枚数の３０枚を下回っている金種がある場合には、さらに継続してその金種について入金を促す表示を表示器（６）にて行う（ステップＳ５）、これにより前記ステップＳ６からＳ８の動作がそれぞれ継続して実行される一方、釣銭の残量が入金促進解除枚数の３０枚に達したら、「１円」と「１０００円」に対する入金を促す表示を解除する（ステップＳ１０）。これにより、「１円」と「１０００円」に対する入金の必要性がなくなることになる。
【００１５】
上記のように、釣銭の残量を図３のようにレベル表示することで、釣銭の残量に対し、入金促進解除枚数までの必要な入金額の目安がつき、入金操作が容易となる。
【００１６】
ここで、現在の各金種の釣銭の残量（枚数）を、
「１円…３０枚」，  「５円…２０枚」，    「１０円…２６枚」，
「５０円…１９枚」，「１００円…２１枚」，「５００円…２３枚」，
「１０００円…３０枚」とし、
この状態から、出金が２回発生したとして、１回目は１円玉が４枚と１０００円札が３枚、２回目は１円玉が６枚と１０００円札が５枚それぞれ使用されたとする。
【００１７】
上記１回目の出金により、釣銭の残量は、
「１円…２６枚」，  「５円…２０枚」，    「１０円…２６枚」，
「５０円…１９枚」，「１００円…２１枚」，「５００円…２３枚」，
「１０００円…２７枚」となり、
各金種ともに入金促進開始枚数の１５枚以上なので、入金する必要がない。
【００１８】
さらに２回目の出金により、釣銭の残量は、
「１円…２０枚」，  「５円…２０枚」，    「１０円…２６枚」，
「５０円…１９枚」，「１００円…２１枚」，「５００円…２３枚」，
「１０００円…２２枚」となり、
前記１回目と同様に、各金種ともに入金促進開始枚数の１５枚以上なので、入金の必要がない。
【００１９】
以上の例のように、入金促進表示がなされた金種については、入金促進解除枚数の３０枚まで入金を行うことから、釣銭の蓄積が充分なされることになり、複数回の出金あるいは１度に多量の出金が発生しても、釣銭の対応が可能となり、釣銭不足が発生しにくいものとなる。釣銭不足が発生しにくいことから、入出金機外部での準備金の入金操作と、それに伴う入出金機能の一時中断の発生頻度も低くなり、システムの運用を円滑に行え、利用者を待たせずに済み、利用しやすく信頼性のあるＰＯＳシステムとなる。
【００２０】
【発明の効果】
以上のようにこの発明によれば、釣銭の入金を促す第１の設定値に加え、この第１の設定値より充分大きく入金の促進表示を解除するための第２の設定値を設け、出金により釣銭の残量が第１の設定値未満となって入金を行う際には、釣銭の残量が第２の設定値以上となった時点で入金の促進表示を解除するようにしたので、その後支払いなどの出金により釣銭が減少しても、入金を促す表示を行う第１の設定値にはすぐには達せず、出金と入金のサイクルが長くなり、入金促進表示とその表示解除を繰り返すことによる釣銭の慢性的な不足が解消されるＰＯＳシステムを提供できるという効果がある。
【００２１】
また、釣銭の残量がレベル表示されることで、必要な入金額の目安がつき、入金操作を容易なものとすることができる。
【図面の簡単な説明】
【図１】この発明の実施の一形態を示すＰＯＳシステムの制御ブロック図である。
【図２】図１のＰＯＳシステムの動作を示すフローチャートである。
【図３】図１のＰＯＳシステムにおける釣銭の残量をレベル表示した状態を示す説明図である。
【図４】従来のＰＯＳシステムの動作を示すフローチャートである。
【符号の説明】
１  入力回路（入力手段）
２  キーボード（入力手段）
３  制御回路（制御手段）
４  記憶回路（記憶手段）
５  表示回路（表示手段）
６  表示器（表示手段）
７  釣銭カウント回路（釣銭カウント手段）
【図１】
0003766711.tif 000002
【図２】
0003766711.tif 000003
【図３】
0003766711.tif 000004
【図４】
0003766711.tif 000005